【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
対象の気道からの分泌物除去を強化するシステムであって、前記システムは、
前記対象の気道に運ばれる、呼吸可能な気体の加圧気流を生成する圧力生成器と、
コンピュータプログラムモジュールを実行する１又は複数のプロセッサと、
を有し、
前記コンピュータプログラムモジュールは、
前記圧力生成器が強制呼吸の直前で前記呼吸可能な気体の加圧気流の圧力レベルを周囲の空気圧よりも小さく維持するように制御する制御モジュールを有する、システム。
【請求項２】
前記呼吸可能な気体の加圧気流の１又は複数の気体パラメータに関する情報を伝達する出力信号を生成する１又は複数のセンサを更に有し、前記制御モジュールは、前記圧力生成器が、前記強制呼吸の直前で、第１の陰圧レベルで前記呼吸可能な気体の加圧気流を供給するように制御し、前記コンピュータプログラムモジュールは、前記強制呼吸の間の分泌物除去を強化するために、前記出力信号に基づいて前記第１の陰圧レベルを調整する滴定モジュールを更に有する、請求項１記載のシステム。
【請求項３】
前記出力信号は、前記強制呼吸の前に、前記呼吸可能な気体の加圧気流が前記第１の陰圧レベルである間に前記対象によって吐き出される気体の体積に関する情報を伝達し、前記滴定モジュールは、前記対象によって吐き出される気体の体積に応じて、前記第１の陰圧レベルが前記強制呼吸の前に閾値レベルを超えるように調整する、請求項２記載のシステム。
【請求項４】
ユーザ制御インタフェースを更に有し、前記対象が前記強制呼吸に対して準備できているかどうかを示す情報が、前記対象による前記ユーザ制御インタフェースへの入力を有し、前記対象による前記強制呼吸への準備の表れの受信に応じて、前記制御モジュールは、前記強制呼吸の直前で、前記圧力生成器が前記呼吸可能な気体の加圧気流を第１の陰圧レベルで生成するように制御する一方、前記強制呼吸の間に、前記圧力生成器が前記呼吸可能な気体の加圧気流を前記対象の気道に運ばれる第２の陰圧レベルで生成するように制御する、請求項１記載のシステム。
【請求項５】
前記圧力生成器が前記強制呼吸の直前で前記呼吸可能な気体の加圧気流の圧力レベルを周囲の空気圧よりも小さく維持するように制御することが、前記対象の気道の断面積を現在の断面積から減少させる、請求項１記載のシステム。
【請求項６】
分泌物除去強化システムにより対象の気道からの分泌物除去を強化するための方法であって、前記システムは、圧力生成器と、１又は複数のプロセッサとを有し、前記１又は複数のプロセッサは、コンピュータプログラムモジュールを実行し、前記コンピュータプログラムモジュールは、制御モジュールを含み、前記方法は、
前記圧力生成器により、前記対象の気道に運ばれる、呼吸可能な気体の加圧気流を生成するステップと、
前記制御モジュールにより、前記圧力生成器が強制呼吸の直前で前記呼吸可能な気体の加圧気流の圧力レベルを周囲の空気圧よりも小さく維持するように制御するステップと、
を有する、方法。
【請求項７】
前記システムは、１又は複数のセンサを更に有し、前記コンピュータプログラムモジュールは、滴定モジュールを更に有し、前記方法は、
前記１又は複数のセンサにより、前記呼吸可能な気体の加圧気流の１又は複数の気体パラメータに関する情報を伝達する出力信号を生成するステップと、
前記制御モジュールにより、前記圧力生成器が、前記強制呼吸の直前で、第１の陰圧レベルで前記呼吸可能な気体の加圧気流を供給するように制御するステップと、
前記滴定モジュールにより、前記強制呼吸の間の分泌物除去を強化するために、前記出力信号に基づいて前記第１の陰圧レベルを調整する、請求項６記載の方法。
【請求項８】
前記出力信号は、前記強制呼吸の前に、前記呼吸可能な気体の加圧気流が前記第１の陰圧レベルである間に前記対象によって吐き出される気体の体積に関する情報を伝達し、前記対象によって吐き出される気体の体積に応じて、前記第１の陰圧レベルが前記強制呼吸の前に閾値レベルを超えるように調整される、請求項７記載の方法。
【請求項９】
前記システムは、ユーザ制御インタフェースを更に有し、前記方法は、
前記ユーザ制御インタフェースにより、前記対象が前記強制呼吸に対して準備できているかどうかを示す情報を受信するステップと、
前記対象による前記強制呼吸への準備の表れの受信に応じて、前記制御モジュールにより、前記強制呼吸の直前で、前記圧力生成器が前記呼吸可能な気体の加圧気流を第１の陰圧レベルで生成するように制御する一方、前記強制呼吸の間に、前記圧力生成器が前記呼吸可能な気体の加圧気流を前記対象の気道に運ばれる第２の陰圧レベルで生成するように制御するステップと、
を更に有する、請求項６記載の方法。
【請求項１０】
前記圧力生成器が前記強制呼吸の直前で前記呼吸可能な気体の加圧気流の圧力レベルを周囲の空気圧よりも小さく維持するように制御することが、前記対象の気道の断面積を現在の断面積から減少させる、請求項６記載の方法。
【請求項１１】
対象の気道からの分泌物除去を強化するためのシステムであって、前記システムは、
前記対象の気道に運ばれる、呼吸可能な気体の加圧気流を生成するための手段と、
コンピュータプログラムモジュールを実行するための手段と、
を有し、
前記コンピュータプログラムモジュールは、
前記呼吸可能な気体の加圧気流を生成するための手段が強制呼吸の直前で前記呼吸可能な気体の加圧気流の圧力レベルを周囲の空気圧よりも小さく維持するように制御するための手段を有する、システム。
【請求項１２】
前記呼吸可能な気体の加圧気流の１又は複数の気体パラメータに関する情報を伝達する出力信号を生成するための手段を更に有し、前記制御するための手段は、前記呼吸可能な気体の加圧気流を生成するための手段が、前記強制呼吸の直前で、第１の陰圧レベルで前記呼吸可能な気体の加圧気流を供給するように制御し、前記コンピュータプログラムモジュールは、前記強制呼吸の間の分泌物除去を強化するために、前記出力信号に基づいて前記第１の陰圧レベルを調整するための手段を更に有する、請求項１１記載のシステム。
【請求項１３】
前記出力信号は、前記強制呼吸の前に、前記呼吸可能な気体の加圧気流が前記第１の陰圧レベルである間に前記対象によって吐き出される気体の体積に関する情報を伝達し、前記調整するための手段は、前記対象によって吐き出される気体の体積に応じて、前記第１の陰圧レベルが前記強制呼吸の前に閾値レベルを超えるように調整する、請求項１２記載のシステム。
【請求項１４】
前記対象が前記強制呼吸に対して準備できているかどうかを示す情報を受信するための手段を更に有し、前記対象による前記強制呼吸への準備の表れの受信に応じて、前記制御するための手段は、前記強制呼吸の直前で、前記呼吸可能な気体の加圧気流を生成するための手段が前記呼吸可能な気体の加圧気流を第１の陰圧レベルで生成するように制御する一方、前記強制呼吸の間に、前記呼吸可能な気体の加圧気流を生成するための手段が前記呼吸可能な気体の加圧気流を前記対象の気道に運ばれる第２の陰圧レベルで生成するように制御する、請求項１１記載のシステム。
【請求項１５】
前記呼吸可能な気体の加圧気流を生成するための手段が前記強制呼吸の直前で前記呼吸可能な気体の加圧気流の圧力レベルを周囲の空気圧よりも小さく維持するように制御することが、前記対象の気道の断面積を現在の断面積から減少させる、請求項１１記載のシステム。
【請求項１６】
分泌物除去強化システムにより対象の気道からの分泌物除去を強化するための方法であって、前記システムは、圧力生成器と、１又は複数のセンサと、１又は複数のプロセッサとを有し、前記１又は複数のプロセッサは、コンピュータプログラムモジュールを実行し、前記コンピュータプログラムモジュールは、パラメータモジュールと、制御モジュールとを含み、前記方法は、
前記圧力生成器により、前記対象の気道に運ばれる、呼吸可能な気体の加圧気流を生成するステップと、
前記１又は複数のセンサにより、前記呼吸可能な気体の加圧気流の１又は複数の気体パラメータに関する情報を伝達する１又は複数の出力信号を生成するステップと、
前記パラメータモジュールにより、前記出力信号に基づいて予備吸気の完了を検出するステップと、
前記予備吸気の完了の検出に応じて、前記制御モジュールにより、前記圧力生成器が強制呼吸の直前で、周囲の空気圧よりも小さい、前記呼吸可能な気体の加圧気流の圧力レベルを維持するように制御するステップと、
を有する、方法。
【請求項１７】
予備吸気が、強制呼吸の前の前記対象による吸気を有し、予備吸気の完了を検出するステップは、
前記対象の通常の周期的な呼吸の間、第１の期間で、周期的な呼吸量を検出するステップと、
前記第１の期間において、前記対象の通常の周期的な呼吸に基づいて、最大の周期的呼吸量変化設定点を決定するステップと、
第２の期間において、周期的な呼吸量変化を検出するステップと、
前記第２の期間における周期的な呼吸量変化の過程が、前記最大の周期的呼吸量変化設定点を超える閾値レベルを超えることを決定するステップと、
周期的なフローレートが実質的にゼロであることを決定するステップと、
を有し、
前記実質的なゼロの周期的なフローレートは、前記周期的な呼吸量変化が前記閾値レベルを超えた過程の決定の直後に決定され、前記実質的なゼロの周期的なフローレートの決定は、前記予備吸気の完了を示している、請求項１６記載の方法。
【請求項１８】
前記パラメータモジュールにより、気道圧力レベルを決定するステップと、前記制御モジュールにより、前記気道圧力レベルが供給される圧力レベルに到達するまで、前記圧力生成器が、周囲の空気圧より小さい前記呼吸可能な気体の加圧気流の圧力レベルを供給するように制御するステップとを更に有する、請求項１６記載の方法。
【請求項１９】
前記システムは、ユーザ制御インタフェースを更に有し、前記方法は、前記気道圧力レベルが前記供給される圧力レベルに到達することに応じて、前記制御モジュールにより、前記ユーザ制御インタフェースが、前記気道圧力レベルが、前記供給される圧力レベルに到達したこと、及び、前記システムが強制呼吸のための準備ができていることをユーザに示す表示を生成するように制御するステップを更に有する、請求項１８記載の方法。
【請求項２０】
前記コンピュータプログラムモジュールは、滴定モジュールを更に有し、前記方法は、
前記制御モジュールにより、前記強制呼吸の直前で、前記圧力生成器が第１の陰圧レベルで前記呼吸可能な気体の加圧気流を供給するように制御するステップと、
前記滴定モジュールにより、前記強制呼吸の間、分泌物除去を強化するために、前記出力信号に基づいて前記第１の陰圧レベルを調整するステップと、
を有する、請求項１６記載の方法。